(57)【要約】【課題】長さの異なる複数種類のカードのそれぞれの排出を簡単な構成で実現できる。【解決手段】長い第１カード１と、短い第２カード２を押し出すスライド部材６が、第１カード１の前端部１ａの当接によって第１カード１と共にこのスライド部材６を移動させる当接部６ａを有し、スライド部材６に支持され、所定の退避位置と所定の突出位置との間で変位可能な係合部材１０を備え、この係合部材１０を、所定の突出位置では、第２カード２の前端部２ａに当接してこの第２カード２と共にスライド部材６を装置奥側へ移動可能に配置すると共に、第１カード１が挿入された際には、この第１カード１の前端部１ａによって第１カード１の移動を妨げない所定の退避位置に変位するように配置した。【選択図】図８
2005190984.tif 000002
【特許請求の範囲】
【請求項１】
長さ寸法の長い第１カードと、この第１カードに比べて長さ寸法の短い第２カードのそれぞれが装着されるハウジングと、カード挿抜方向に摺動可能であって上記ハウジングに装着された第１カード、第２カードを押し出すスライド部材と、このスライド部材をカード排出方向へ付勢する付勢部材と、上記スライド部材を上記付勢部材の付勢力に抗して所定のカード装着位置にロックするロック機構とを備えると共に、
上記スライド部材が、上記第１カードの前端部の当接によって上記第１カードと共に、このスライド部材を装置奥側へ移動させる当接部を有し、
上記スライド部材に支持され、所定の退避位置と所定の突出位置との間で変位可能な係合部材を備え、
この係合部材を、上記所定の突出位置においては、上記第２カードの前端部に当接してこの第２カードと共に上記スライド部材を装置奥側へ移動可能に配置すると共に、上記第１カードが挿入された際には、この第１カードの前端部によって上記第１カードの移動を妨げない上記所定の退避位置に変位するように配置したことを特徴とするカード用コネクタ装置。
【請求項２】
上記請求項１記載の発明において、
上記第１カードは、その前端部角部に、斜めに切り欠き形成される斜縁部を有すると共に、
上記係合部材を、上記第１カードの斜縁部によって上記所定の退避位置に変位するように配置したことを特徴とするカード用コネクタ装置。
【請求項３】
上記請求項２記載の発明において、
上記係合部材を、上記スライド部材に摺動及び回動可能に支持させると共に、上記係合部材が、上記カードが接触可能な第１接触部と第２接触部とを有し、
上記第２接触部を、上記第２カードの挿入時に、この第２カードの上記前端部と接触するように配置し、しかも上記第２カードの挿入動作に伴って、上記第２接触部を介して上記係合部材が摺動して上記スライド部材と当接し、このスライド部材を装置奥側へ移動させるように上記第２接触部を配置したことを特徴とするカード用コネクタ装置。
【請求項４】
上記請求項３記載の発明において、
上記係合部材の上記第１接触部と上記第２接触部とを、上記第１カードの挿入時に、上記第１カードの上記斜縁部が最初に上記第１接触部に接触して上記係合部材を上記所定の退避位置方向へ変位させ、次に上記第１カードの上記斜縁部が上記第２接触部に接触して上記係合部材を上記所定の退避位置へ変位させるように配置したことを特徴とするカード用コネクタ装置。
【請求項５】
上記請求項３または４記載の発明において、
上記係合部材を上記所定の突出位置方向へ付勢するコイルばねを備えたことを特徴とするカード用コネクタ装置。
【請求項６】
上記請求項２記載の発明において、
上記係合部材を上記スライド部材に回動可能に支持させると共に、上記係合部材が第１突起と第２突起とを有し、
これらの第１突起と第２突起とを、上記第２カードの挿入時に、この第２カードの上記前端部角部を挟んで上記第２カードの前端部と側縁部とに当接するように配置し、しかも上記第２カードの挿入動作に伴って上記スライド部材を装置奥側へ移動させるようにこれらの第１突起と第２突起とを配置したことを特徴とするカード用コネクタ装置。
【請求項７】
上記請求項６記載の発明において、
上記係合部材の上記第１突起と第２突起とを、上記第１カードの挿入時に、上記第１カードの上記斜縁部が最初に上記第１突起に当接して上記係合部材を上記所定の退避位置方向へ変位させ、次に上記第１カードの上記斜縁部が上記第２突起に当接して上記係合部材を上記所定の退避位置へ変位させるように配置したことを特徴とするカード用コネクタ装置。
【請求項８】
上記請求項７記載の発明において、
上記スライド部材に、上記係合部材の上記所定の退避位置への変位時に上記第１突起及び上記第２突起との干渉を避ける逃げ部を形成したことを特徴とするカード用コネクタ装置。
【請求項９】
上記請求項６〜８のいずれか１項記載の発明において、
上記係合部材を、上記付勢部材によって上記所定の突出位置方向へ付勢されるように配置したことを特徴とするカード用コネクタ装置。
【発明の詳細な説明】
【技術分野】
【０００１】
本発明は、長さの異なる複数種類のカードのそれぞれを所定のカード装着位置に装着させることができるカード用コネクタ装置に関する。
【背景技術】
【０００２】
従来技術は特許文献１に示されるように、所定のカード装着位置に装着させた１種類のカードを排出させる排出機構を備えている。このカード排出機構は、カードを排出方向へ押し出すスライド部材と、このスライド部材を排出方向へ付勢する付勢部材と、この付勢部材の付勢力に抗して、スライド部材を所定のカード装着位置にロックするロック機構とを含んでいる。すなわち、従来技術では、１種類のカードのみの装着が可能になっている。
【特許文献１】特開２０００−２５１０２５公報
【発明の開示】
【発明が解決しようとする課題】
【０００３】
ところで昨今の技術革新に伴って信号処理能力の向上を期待して、長さ寸法の異なる複数種類のカードを装着可能なカード用コネクタ装置の実現が要望されている。しかし、上述した従来技術の構成において、異なる複数種類のカードそれぞれの排出機構を設けることは容易ではない。特に例えば、幅寸法が同じで長さ寸法が互いに異なる複数種類のカードの装着を考えた場合、長いカードを所定のカード装着位置まで挿入する際に、短いカードの排出機構が邪魔になる。
【０００４】
このように上述した従来技術から考えられる構成は、特に、長いカードの挿入動作を実現させる構成部分が複雑になる懸念がある。このように構成が複雑化すると、部品点数が多くなって製作費が高くなると共に、装置が大型になる問題がある。
【０００５】
本発明は、上述した従来技術における実状からなされたもので、その目的は、長さの異なる複数種類のカードそれぞれの排出を簡単な構成で実現できるカード用コネクタ装置を提供することにある。
【課題を解決するための手段】
【０００６】
上記目的を達成するために、本発明は、長さ寸法の長い第１カードと、この第１カードに比べて長さ寸法の短い第２カードのそれぞれが装着されるハウジングと、カード挿抜方向に摺動可能であって上記ハウジングに装着された第１カード、第２カードを押し出すスライド部材と、このスライド部材をカード排出方向へ付勢する付勢部材と、上記スライド部材を上記付勢部材の付勢力に抗して所定のカード装着位置にロックするロック機構とを備えると共に、上記スライド部材が、上記第１カードの前端部の当接によって上記第１カードと共に、このスライド部材を装置奥側へ移動させる当接部を有し、上記スライド部材に支持され、所定の退避位置と所定の突出位置との間で変位可能な係合部材を備え、この係合部材を、上記所定の突出位置においては、上記第２カードの前端部に当接してこの第２カードと共に上記スライド部材を装置奥側へ移動可能に配置すると共に、上記第１カードが挿入された際には、この第１カードの前端部によって上記第１カードの移動を妨げない上記所定の退避位置に変位するように配置したことを特徴としている。
【０００７】
このように構成した本発明は、長さ寸法の長い第１カードのハウジングへの挿入時にあっては、第１カードの前端部によって所定の突出位置にある係合部材が第１カードの移動を妨げない所定の退避位置に変位する。この状態において、第１カードの前端部がスライド部材の当接部に当接し、押し込まれた第１カードと共にスライド部材が装置奥側へ摺動する。所定の第１カード装着位置でスライド部材は付勢部材の付勢力に抗してロック機構によってロックされる。この状態において第１カードに対する信号の送受信が可能となる。
【０００８】
第１カードの排出時には、ロック機構によるスライド部材のロックを解除させることにより、スライド部材が付勢部材の付勢力によって排出方向に摺動し、このスライド部材によって第１カードが押し出される。
【０００９】
また、長さ寸法の短い第２カードのハウジングへの挿入時にあっては、第２カードの前端部が所定の突出位置にある係合部材に当接し、この係合部材を介して押し込まれた第２カードと共にスライド部材が装置奥側へ摺動する。所定の第２カード装着位置でスライド部材は付勢部材の付勢力に抗してロック機構によってロックされる。この状態において第２カードに対する信号の送受信が可能となる。
【００１０】
第２カードの排出時は、ロック機構によるスライド部材のロックを解除させることにより、スライド部材が付勢部材の付勢力によって排出方向に摺動し、このスライド部材によって第２カードが押し出される。
【００１１】
このように本発明は、基本的には係合部材を追加するだけでよく、スライド部材、付勢部材、及びロック機構を、第１，第２カードの排出機構として兼用できる。すなわち、これらの長さ寸法の異なる第１，第２カードのそれぞれの排出を簡単な構成で実現できる。
【００１２】
また本発明は上記発明において、上記第１カードは、その前端部角部に、斜めに切り欠き形成される斜縁部を有すると共に、上記係合部材を、上記第１カードの斜縁部によって上記所定の退避位置に変位するように配置したことを特徴としている。
【００１３】
このように構成した本発明は、第１カードのハウジングへの挿入時には、第１カードの斜縁部によって係合部材を所定の退避位置に変位させることができ、第１カードを所定の第１カード装着位置まで円滑に移動させることができる。
【００１４】
また本発明は上記発明において、上記係合部材を、上記スライド部材に摺動及び回動可能に支持させると共に、上記係合部材が、上記カードが接触可能な第１接触部と第２接触部とを有し、上記第２接触部を、上記第２カードの挿入時に、この第２カードの上記前端部と接触するように配置し、しかも上記第２カードの挿入動作に伴って、上記第２接触部を介して上記係合部材が摺動して上記スライド部材と当接し、このスライド部材を装置奥側へ移動させるように上記第２接触部を配置したことを特徴としている。
【００１５】
このように構成した本発明は、第２カードのハウジングへの挿入時には、係合部材の第２接触部を介して確実にスライド部材を装置奥側へ移動させることができ、第２カードを所定の第２カード装着位置まで移動させることができる。
【００１６】
また本発明は上記発明において、上記係合部材の上記第１接触部と上記第２接触部とを、上記第１カードの挿入時に、上記第１カードの上記斜縁部が最初に上記第１接触部に接触して上記係合部材を上記所定の退避位置方向へ変位させ、次に上記第１カードの上記斜縁部が上記第２接触部に接触して上記係合部材を上記所定の退避位置へ変位させるように配置したことを特徴としている。
【００１７】
このように構成した本発明は、第１カードのハウジングへの挿入時には、第１カードの斜縁部に順次接触する第１接触部、第２接触部を介して、係合部材を所定の退避位置まで円滑に変位させることができる。
【００１８】
また本発明は上記発明において、上記係合部材を上記所定の突出位置方向へ付勢するコイルばねを備えたことを特徴としている。
【００１９】
このように構成した本発明は、コイルばねによって係合部材をカードが接触する所定の突出位置まで確実に変位させることができる。
【００２０】
また本発明は上記発明において、上記係合部材を上記スライド部材に回動可能に支持させると共に、上記係合部材が第１突起と第２突起とを有し、これらの第１突起と第２突起とを、上記第２カードの挿入時に、この第２カードの上記前端部角部を挟んで上記第２カードの前端部と側縁部とに当接するように配置し、しかも上記第２カードの挿入動作に伴って上記スライド部材を装置奥側へ移動させるようにこれらの第１突起と第２突起とを配置したことを特徴としている。
【００２１】
このように構成した本発明は、第２カードのハウジングへの挿入時には、係合部材を介して確実にスライド部材を装置奥側へ移動させることができ、第２カードを所定の第２カード装着位置まで円滑に移動させることができる。
【００２２】
また本発明は上記発明において、上記係合部材の上記第１突起と第２突起とを、上記第１カードの挿入時に、上記第１カードの上記斜縁部が最初に上記第１突起に当接して上記係合部材を上記所定の退避位置方向へ変位させ、次に上記第１カードの上記斜縁部が上記第２突起に当接して上記係合部材を上記所定の退避位置へ変位させるように配置したことを特徴としている。
【００２３】
このように構成した本発明は、第１カードのハウジングへの挿入時には、第１カードの斜縁部に順次係合する第１突起、第２突起を介して、係合部材を所定の退避位置まで円滑に変位させることができる。
【００２４】
また本発明は上記発明において、上記スライド部材に、上記係合部材の上記所定の退避位置への変位時に上記第１突起及び上記第２突起との干渉を避ける逃げ部を形成したことを特徴としている。
【００２５】
このように構成した本発明は、第１カードのハウジングへの挿入に際し、係合部材を所定の退避位置に退避させたとき、係合部材の第１，第２突起が、スライド部材の逃げ部によって、このスライド部材と干渉しないように保たれる。したがって、係合部材１０の変位がスライド部材の動作に悪影響を及ぼすことがない。
【００２６】
また本発明は上記発明において、上記係合部材を、上記付勢部材によって上記所定の突出位置方向へ付勢されるように配置したことを特徴としている。
【００２７】
このように構成した本発明は、スライド部材をカード排出方向へ付勢する付勢部材を、係合部材を所定の突出位置へ付勢する付勢部材として兼用したことから、係合部材を付勢する付勢部材を別に備えなくて済む。
【発明の効果】
【００２８】
本発明は、所定の突出位置と所定の退避位置との間で変位する係合部材を備えたことにより、スライド部材、このスライド部材をカード排出方向へ付勢する付勢部材、及びロック機構を含むカード排出機構を、長さ寸法の長い第１カードと，長さ寸法の短い第２カードの排出に兼用でき、これらの第１，第２カードそれぞれの排出を簡単な構成で実現できる。これにより部品点数を抑えて製作費を安くすることができると共に、装置の小型化を実現させることができる。
【発明を実施するための最良の形態】
【００２９】
以下，本発明に係るカード用コネクタ装置を実施するための最良の形態を図に基づいて説明する。
【００３０】
［本発明の実施形態で使用される第１カード］
図１は本発明に係るカード用コネクタ装置の実施形態で使用される長さ寸法の長い第１カードを示す図で、（ａ）図は平面図、（ｂ）図は側面図である。
【００３１】
この図１に示すように、本発明の実施形態で使用される第１カード１は、長さ寸法Ｌ１１が長く設定されている。Ｌ１２は幅寸法である。この第１カード１の前端部１ａの一方の角部には、斜めに切り欠き形成された斜縁部１ｂを有する。また、他方の側縁部には凹部１ｃを形成してある。
【００３２】
［本発明の実施形態で使用される第２カード］
図２は本発明の実施形態に使用される長さ寸法の短い第２カードを示す図で、（ａ）図は平面図、（ｂ）図は側面図である。
【００３３】
この図２に示すように、本発明の実施形態で使用される第２カード２は、第１カード１の長さ寸法Ｌ１１に比べて長さ寸法Ｌ２１を短く設定してある。この第２カード２の幅寸法Ｌ２２は、第１カード１の幅寸法Ｌ１２と同じ寸法に設定してある。この第２カード２の前端部２ａの一方の角部２ｃ付近には切り欠き部２ｂを形成してあり、この切り欠き部２ｂに含まれる側縁部の長さ寸法を比較的長いＬ２３に設定してある。また、他方の側縁部には凹部２ｄを形成してある。
【００３４】
［本発明の第１実施形態の構成］
図３は本発明の第１実施形態の外殻を形成するハウジングを示す図で、（ａ）図は平面図、（ｂ）図は側面図、（ｃ）図は正面図、図４は図３に示すハウジングのカバーを除いた状態を示す平面図、図５は本発明の第１実施形態の主要構成部材である係合部材を示す図で、（ａ）図は平面図、（ｂ）図は側面図である。
【００３５】
図３に示すように本発明の第１実施形態は、本体を形成するハウジング３を備え、このハウジング３は、上面を形成するカバー３ａを含んでいる。同図３の（ｃ）図に示すように、前面部分には、上述した第１カード１、第２カード２が挿入される挿入口３ｂが形成されている。
【００３６】
カバー３ａを除いた図４に示すように、本実施形態は、ハウジング３の挿入口３ｂからカード挿抜方向に沿うように、第１，第２カード１，２を案内するガイド壁３ｃを形成させてある。また、ハウジング３の底部には、装置奥側に第１カード１の接触部材に接触する第１接続端子４を配置してあり、装置中央付近に第２カード２の接触部材に接触する第２接続端子５を配置してある。第１接続端子４が配置されている位置が所定の第１カード装着位置を形成し、第２接続端子５が配置されている位置が所定の第２カード装着位置を形成している。
【００３７】
また本実施形態は、全体形状が門形に形成されてカード挿抜方向に摺動可能であって、ハウジング３の所定の第１カード装着位置、所定の第２カード装着位置にそれぞれ装着された第１カード１、第２カード２をカード排出方向へ押し出すスライド部材６を備えている。このスライド部材６は、第１カード１の前端部１ａが当接する当接部６ａを備えると共に、テーパ状の逃げ部６ｂを備えている。
【００３８】
また、スライド部材６をカード排出方向に付勢するコイルばねから成る付勢部材７と、スライド部材６を付勢部材７の付勢力に抗して、所定の第１，第２カード装着位置にロックするロック機構を備えている。
【００３９】
このロック機構は、一端部８ａがスライド部材６に揺動可能に支持され、他端部すなわち自由端部に同図４の下方に向って伸設されるピン８ｂを有する摺動部材８と、ピン８ｂが摺動するハートカム溝９とから構成されている。ハートカム溝９は、ハウジング３の底部に形成され、往路９ａと復路９ｂと、これらの往路９ａと復路９ｂの境界に位置し、ピン８ｂが係止されるロック部９ｃとを備えている。
【００４０】
上述のスライド部材６は、同図４に示すように、第１カード１の前述した凹部１ｃに係合する突部１１ａを有する第１弾性部材１１と、第２カード２の前述した凹部２ｄに係合する突部１２ａを有する第２弾性部材１２とを備えている。
【００４１】
そして特に本実施形態は、スライド部材６に支持され、所定の退避位置と所定の突出位置との間で変位可能な係合部材１０を備えている。
【００４２】
この係合部材１０は、図５にも示すように、スライド部材６に回動自在に支持される軸１０ａと、付勢部材７の一端を保持するばね受け１０ｂと、第１突起１０ｃ、第２突起１０ｄとを備えている。図５の（ａ）図に示す第１突起１０ｃの前端と第２突起１０ｄの前端との長さＬ３は、前述した第２カード２の切り欠き部２ｂを形成する側縁部の長さＬ２３よりも短く設定してある。
【００４３】
図４は、付勢部材７によって係合部材１０が付勢されて、この係合部材１０が所定の突出位置に保持されている状態が示されている。この状態から係合部材１０が同図４の時計方向に回動、すなわち変位すると、この係合部材１０が所定の退避位置に保持される状態となる。
【００４４】
すなわち係合部材１０を、上述の所定の突出位置においては、第２カード２の前端部２ａに当接してこの第２カード２と共にスライド部材６を装置奥側へ移動可能に配置すると共に、第１カード１が挿入された際には、第１カード１の前端部１ａによって第１カード１の移動を妨げない上述の所定の退避位置に変位するように配置してある。
【００４５】
上述したスライド部材６は、係合部材１０を介して付勢部材７によってカード排出方向へ付勢されている。すなわち付勢部材７は、スライド部材６を付勢する付勢部材と、係合部材１０を所定の突出位置方向に付勢する付勢部材とを兼ねている。
【００４６】
また、上述した係合部材１０の第１突起１０ｃと第２突起１０ｄとは、第２カード２の挿入時に、この第２カード２の前端部２ａと切り欠き部２ｂを形成する側縁部とに当接するように配置してある。
【００４７】
また、これらの第１突起１０ｃと第２突起１０ｄとを、第１カード１の挿入時に、第１カード１の斜縁部１ｂが最初に第１突起１０ｃに当接して係合部材１０を上述した所定の退避位置方向へ変位させ、続いて第１カード１の斜縁部１ｂが第２突起１０ｄに当接して係合部材１０を所定の退避位置へ変位させるように配置してある。
【００４８】
なお、上述したスライド部材６の逃げ部６ｂは、係合部材１０が所定の退避位置まで変位したときに、第１突起１０ｃ及び第２突起１０ｄとの干渉を避けるように形成したものである。
【００４９】
［第１カードの挿入操作］
図６は本発明の第１実施形態に図１に示す第１カードが挿入された初期状態を示す平面図、図７は本発明の第１実施形態に挿入された第１カードが中途位置まで押し込まれた状態を示す平面図、図８は本実施形態の所定の第１カード装着位置に第１カードが装着された状態を示す平面図である。
【００５０】
前述した図４に示すように、カードが挿入されていない状態では、付勢部材７の付勢力によって係合部材１０は所定の突出位置に保持されている。また、第１，第２弾性部材１１，１２の突部１１ａ，１２ａは、カードの挿入経路上に位置している。ロック機構を構成する摺動部材８のピン８ｂは、ハートカム溝９の同図４に示す手前位置、すなわち所定の待機位置に位置している。
【００５１】
このような状態において、図６に示すように、長さ寸法の長い第１カード１がハウジング３の挿入口３ｂから挿入されると、この第１カード１はハウジング３のガイド壁３ｃに案内され、その斜縁部１ｂが係合部材１０の第１突起１０ｃに係合する。また、第２弾性部材１２が第１カード１の図示右側の側縁部によって挿入経路外まで撓められる。この状態から第１カード１が押し込まれると、第１突起１０ｃが所定の退避位置方向に移動するように係合部材１０は軸１０ａを中心に時計方向に回動、すなわち変位する。
【００５２】
この第１カード１がさらに押し込まれると、この第１カード１の斜縁部１ｂが係合部材１０の第２突起１０ｄに係合し、この第２突起１０ｄを移動させ、係合部材１０は所定の退避位置まで回動、すなわち変位する。図７は、このように係合部材１０が所定の退避位置まで変位した状態を示している。同図７に示すように、この所定の退避位置にあっても、スライド部材６に形成した逃げ部６ｂによって第１突起１０ｃ、第２突起１０ｄとスライド部材６とは非接触に保持される。
【００５３】
この図７に示す状態から、第１カード１がさらに押し込まれると、第１カード１の前端部１ａがスライド部材６の当接部６ａに当接し、第１カード１と共にスライド部材６が係合部材７の付勢力に抗して装置奥側に向って移動する。これに伴って、スライド部材６に支持された摺動部材８のピン８ｂがハートカム溝９の往路９ａ上を摺動する。
【００５４】
第１カード１が所定の第１カード装着位置まで押し込まれると、図８に示すように、摺動部材８のピン８ｂがハートカム溝９のロック部９ｃに係止される。これによりスライド部材６がロックされ、このスライド部材６の排出方向への摺動が阻止される。また、このとき第１弾性部材１１の突起１１ａが第１カード１の凹部１ｃに係合する。これにより、第１カード１は所定の第１カード装着位置に安定した状態で装着される。
【００５５】
このように、第１カード１が所定の第１カード装着位置に装着された状態では、第１カード１の裏面に形成された図示しない接触部材が第１接続端子４に接触し、この第１カード１に対する信号の送受信が可能となる。
【００５６】
［第１カードの排出操作］
図８に示すように、第１カード１が所定の第１カード装着位置に装着されている状態から、第１カード１を装置奥側に押してオーバーストロークさせると、スライド部材６の移動に伴って摺動部材８のピン８ｂがハートカム溝９のロック部９ｃから外れる。これにより、スライド部材６のロックが解除され、付勢部材７の付勢力によって係合部材１０を介してスライド部材６が排出方向に摺動する。この間、摺動部材８のピン８ｂがハートカム溝９の復路９ｂ上を摺動する。これにより、第１カード１が押し出され図６に示す状態となる。
【００５７】
この間、スライド部材６の排出方向への摺動により、第１弾性部材１１の突部１１ａが第１カード１の凹部１ｃから離脱する。また、係合部材１０が、付勢部材７の付勢力によって、図８に示す所定の退避位置から図６に示す所定の突出位置まで同図６の反時計方向に回動、すなわち変位する。
【００５８】
図６に示す状態まで排出された第１カード１は手前側端部を把持することにより、ハウジング３の挿入口３ｂから抜き取ることができる。この第１カード１の抜き取り操作に伴って、第２弾性部材１２は、前述した図４に示す初期状態に復帰する。
【００５９】
［第２カードの挿入操作］
図９は本発明の第１実施形態に第２カードが挿入された初期形態を示す平面図、図１０は本発明の第１実施形態の所定の第２カード装着位置に第２カードが装着された状態を示す平面図である。
【００６０】
前述した図４に示すカードが挿入されていない状態から、図９に示すように、長さ寸法の短い第２カード２がハウジング３の挿入口３ｂから挿入されると、この第２カード２はハウジング３のガイド壁３ｃに案内され、その前端部２ａの一方の角部２ｃが係合部材１０の第１突起１０ｃと第２突起１０ｄに挟まれるように位置する。また、第２弾性部材１２の突部１２ａが第２カード２の凹部２ｄに係合する。
【００６１】
この図９に示す状態から第２カード２がさらに押し込まれると、第２カード２の前端部２ａによって係合部材１０の第２突起１０ｄが押されることにより、スライド部材６が第２カード２と共に付勢部材７の付勢力に抗して装置奥側に向って移動する。これに伴って、スライド部材６に支持された摺動部材８のピン８ｂがハートカム溝９の往路９ａ上を摺動する。この間、係合部材１０は、当初の所定の突出位置のまま保持され続ける。
【００６２】
第２カード２が所定の第２カード装着位置まで押し込まれると、図１０に示すように、摺動部材８のピン８ｂがハートカム溝９のロック部９ｃに係止される。これにより、スライド部材６がロックされ、第２カード２は所定の第２カード装着位置に安定した状態で装着される。
【００６３】
このように、第２カード２が所定の第２カード装着位置に装着された状態では、第２カード２の裏面に形成された接触部材が第２接続端子５に接触し、この第２カード２に対する信号の送受信が可能となる。
【００６４】
［第２カードの排出操作］
図１０に示すように、第２カード２が所定の第２カード装着位置に装着されている状態から、第２カード２を装置奥側に押してオーバーストロークさせると、スライド部材６の移動に伴って摺動部材８のピン８ｂがハートカム溝９のロック部９ｃから離脱する。これにより、スライド部材６のロックが解除され、付勢部材７の付勢力によって係合部材１０を介してスライド部材６が排出方向に摺動する。この間、摺動部材８のピン８ｂがハートカム溝９の復路９ｂ上を摺動する。これにより、第２カード２が押し出され、図９に示す状態となる。
【００６５】
図９に示す状態まで排出された第２カード２は手前側の端部を把持することにより、ハウジング３の挿入口３ｂから抜き取ることができる。この第２カード２の抜き取り操作に伴って、第２弾性部材１２の突部１２ａが第２カード２の凹部２ｄから離脱し、前述した図４に示す初期状態に復帰する。
【００６６】
［本発明の第１実施形態の効果］
以上のように構成した本発明の第１実施形態によれば、例えば図４に示す所定の突出位置と図８に示す所定の退避位置との間で変位する係合部材１０を備えたことにより、スライド部材６、付勢部材７、及び摺動部材８とハートカム溝９とから成るロック機構を含むカード排出機構を、第１，第２カード１，２の排出に兼用でき、これらの第１，第２カード１，２の排出を簡単な構成で実現できる。これにより、部品点数を抑えて製作費を安くすることができると共に、装置の小型化を実現させることができる。
【００６７】
また本実施形態は、第１カード１のハウジング３への挿入時には、第１カード１の斜縁部１ｂによって係合部材１０を所定の退避位置に変位させることができ、第１カード１を所定の第１カード装着位置まで円滑に移動させることができる。これにより、装置の信頼性を確保できる。
【００６８】
また本実施形態は、第２カード２のハウジング３への挿入時には、係合部材１０を介して確実にスライド部材６を装置奥側へ移動させることができ、第２カード２を所定の第２カード装着位置まで円滑に移動させることができる。これにより、装置の信頼性を確保できる。
【００６９】
また本実施形態は、第１カード１のハウジング３の挿入時には、第１カード１の斜縁部１ｂに順次係合する第１突起１０ｃ、第２突起１０ｄを介して、係合部材１０を所定の退避位置まで円滑に変位させることができる。これにより、装置の信頼性を確保できる。
【００７０】
また本実施形態は、第１カード１のハウジング３への挿入に際し、係合部材１０を所定の退避位置に退避させたとき、係合部材１０の第１，第２突起１０ｃ，１０ｄが、スライド部材６の逃げ部６ｂによって、このスライド部材６に干渉しないように保たれる。したがって、係合部材１０の変位がスライド部材６の動作に悪影響を及ぼすことがなく、所定の第１カード装着位置までの第１カード１の円滑な移動を実現でき、装置の信頼性を確保できる。
【００７１】
また本実施形態は、スライド部材６をカード排出方向へ付勢する付勢部材７を、係合部材１０を所定の突出位置に付勢する付勢部材として兼用したことから、係合部材１０を付勢する付勢部材を別に備えなくて済み、簡単な構成の実現に貢献する。
【００７２】
［本発明の第２実施形態の構成］
図１１は本発明の第２実施形態を示す図で、ハウジングのカバーを除いた状態を示す平面図、図１２は本発明の第２実施形態に備えられるスライド部材を示す図で、（ａ）図は平面図、（ｂ）図は側面図、（ｃ）図は裏面図、図１３は本発明の第２実施形態の主要構成部材である係合部材と、この係合部材を付勢するコイルばねを示す図で、（ａ）図は平面図、（ｂ）図は側面図、（ｃ）図は裏面図である。
【００７３】
前述した第１実施形態と同様に、この第２実施形態も図１１に示すように、本体を形成するハウジング１３を備え、このハウジング１３には上面を形成する図示しないカバーが含まれている。前面部分には、第１カード１、第２カード２が挿入される挿入口１３ｂが形成されている。
【００７４】
ハウジング１３の底部には、装置奥側に第１カード１の接触部材に接触する第１接続端子１４を配置してあり、装置中央付近に第２カード２の接触部材に接触する第２接続端子１５を配置してある。第１接続端子１４が配置されている位置が所定の第１カード装着位置を形成し、第２接続端子１５が配置されている位置が所定の第２カード装着位置を形成している。
【００７５】
また、本実施形態もカード挿抜方向に摺動可能であって、ハウジング１３の所定の第１カード装着位置、所定の第２カード装着位置にそれぞれ装着された第１カード１、第２カード２をカード排出方向へ押し出すスライド部材１６を備えている。このスライド部材１６は、図１２の裏面図である（ｃ）図に示すように、第１カード１の前端部１ａが当接する第１当接部１６ａを備えている。また、同図１２の（ａ）図に示すように、左側縁部分の中央付近に、第２カード２に関連させて設けた第２当接部１６ｄを形成する空間部１６ｂと、この空間部１６ｂに連設され、後述の係合部材２０を収容可能な逃げ部１６ｃを備えている。この逃げ部１６ｃには、凹部の壁面によって構成される後述のコイルばね２１のばね受け１６ｅと、後述の係合部材２０の軸２０ａがカード挿抜方向に移動自在に挿入される長穴１６ｆとを備えている。なお、ばね受け１６ｅは後述するように、コイルばね２１の他端２１ｃの摺動を許容させる傾斜壁面に形成してある。
【００７６】
また、スライド部材１６の左側縁部分の手前側には、スライド部材１６をカード排出方向に付勢する図示しない付勢部材の付勢力に抗して、第１，第２カード１，２を所定の第１，第２装着位置にロックするロック機構に含まれるハートカム溝１９を形成してある。このハートカム溝１９は往路１９ａと復路１９ｂとロック部１９ｃとを備えている。
【００７７】
なお、図１１に示すように、ハウジング１３の左側縁部分の手前側には、一端１８ａがこのハウジング１３に揺動自在に支持され、他端部すなわち自由端部に同図１１の紙面の下方に向って伸設されるピン１８ｂを有する摺動部材１８を配置してある。この摺動部材１８のピン１８ｂが、上述したハートカム溝１９の往路１９ａ及び復路１９ｂ上を摺動し、ロック部１９ｃで係止される。すなわち、この摺動部材１８とハートカム溝１９とによって上述したロック機構が構成されている。
【００７８】
なお、図１１においては図示しないが、本実施形態においてもスライド部材１６に、第１カード１の凹部１ｃに係合する突部を有する第１弾性部材と、第２カード２の凹部２ｄに係合する突部を有する第２弾性部材とが備えられている。
【００７９】
そして特に、この第２実施形態は、スライド部材１６に支持され、所定の退避位置と所定の突出位置との間で変位可能な係合部材２０の形状と、この係合部材２０を所定の突出位置方向へ付勢するコイルばね２１を備えた点が、上述した第１実施形態と異なっている。
【００８０】
この第２実施形態にあっても、係合部材２０を、所定の突出位置においては、第２カード２の前端部２ａに当接してこの第２カード２と共にスライド部材１６を装置奥側へ移動可能にするように配置してあると共に、第１カード１が挿入された際には、この第１カード１の前端部１ａによって、例えば斜縁部１ｂによって、第１カード１の移動を妨げない所定の退避位置に変位するように配置してある。
【００８１】
係合部材２０は、図１３に示すように軸２０ａを備えており、この軸２０ａが上述したスライド部材１６の長穴１６ｆに挿入されることにより、スライド部材１６に対して摺動及び回動可能になっている。また、この係合部材２０は、カードが接触可能な第１接触部２０ｅと第２接触部２０ｆとを有している。第２接触部２０ｆは、第２カード２の挿入時に、この第２カード２の前端部２ａと接触するように配置してある。しかも、第２カード２の挿入動作に伴って、係合部材２０を摺動させてこの係合部材２０の押圧部２０ｄが、上述したスライド部材１６の第２当接部１６ｄと当接してスライド部材１６を装置奥側へ移動させるように、第２接触部２０ｆを配置してある。
【００８２】
また、この係合部材２０の第１接触部２０ｅと第２接触部２０ｆとを、第１カード１の挿入時に、第１カード１の斜縁部１ｂが最初に第１接触部２０ｅに接触して係合部材２０を所定の退避位置方向へ変位させ、次に、第１カード１の斜縁部１ｂが第２接触部２０ｆに接触して係合部材２０を所定の退避位置へ変位させるように配置してある。
【００８３】
図１３の（ｃ）図に示すように、係合部材２０の裏面には凹部２０ｂを形成してあり、この凹部２０ｂの壁面によってばね受け２０ｃが構成されている。すなわち、係合部材２０を付勢するコイルばね２１の巻回部２１ｂは係合部材２０の軸２０ａに係着させてあり、コイルばね２１の一端２１ｂは係合部材２０の裏面に形成したばね受け２０ｃに係着され、コイルばね２１の他端２１ｃは曲線状端部を有すると共に、上述したスライド部材１６の逃げ部１６ｃに形成したばね受け１６ｅに係着される。
【００８４】
［第１カードの挿入操作］
図１４は本発明の第２実施形態に図１に示す第１カードが挿入された初期状態を示す平面図、図１５は本発明の第２実施形態に挿入された第１カードが中途位置まで押し込まれた状態を示す平面図、図１６は本発明の第２実施形態の所定の第１カード装着位置に第１カードが装着された状態を示す平面図、図１７は本発明の第２実施形態に第１カードが挿入されたときの係合部材と、コイルばねの動作を示す要部拡大図である。
【００８５】
前述した図１１に示すように、カードが挿入されていない状態では、コイルばね２１の付勢力によって係合部材２０は所定の突出位置に保持されている。また、第１，第２カード１，２の凹部１ｃ，２ｄに係合可能な図示しない第１，第２弾性部材のそれぞれの突部は、カードの挿入経路上に位置している。ロック機構を構成する摺動部材１８のピン１８ｂは、ハートカム溝１９の同図１１に示す奥側位置、すなわち所定の待機位置に位置している。
【００８６】
このような状態において、図１４に示すように、長さ寸法の長い第１カード１がハウジング１３の挿入口１３ｂから挿入されると、この第１カード１はハウジング１３の図示しないガイド壁に案内され、その斜縁部１ｂが係合部材２０の第１接触部２０ｅに接触する。この状態から第１カード１が押し込まれると、図１７の矢印３０で示すように、係合部材２０は所定の退避位置方向に、軸２０ａを中心にコイルばね２１のばね力に抗して反時計方向に回動、すなわち変位しはじめる。
【００８７】
この第１カード１がさらに押し込まれると、この第１カード１の斜縁部１ｂが係合部材２０の第２接触部２０ｆに接触し、係合部材２０は所定の退避位置まで回動、すなわち変位する。図１５、及び図１７の二点鎖線は、このようにして係合部材２０が所定の退避位置まで変位した状態を示している。これらの図１５，１７に示すように、スライド部材２０を所定の退避位置まで変位させた状態にあっても、スライド部材１６に形成した逃げ部１６ｃによって、係合部材２０の押圧部２０ｄとスライド部材１６の第２当接部１６ｄとは非接触に保持される。
【００８８】
例えば図１５に示す状態に至ると、第１カード１の前端部１ａが図１２の（ｃ）図に示すスライド部材１６の第１当接部１６ａに当接する。したがって、第１カード１がさらに押し込まれると、第１カード１と共にスライド部材１６が図示しない付勢部材の付勢力に抗して装置奥側に向って移動する。これに伴って、ハウジング１３に支持された摺動部材１８のピン１８ｂが、スライド部材１６に形成されたハートカム溝１９の往路１９ａ上を相対的に摺動する。
【００８９】
第１カード１が所定の第１カード装着位置まで押し込まれると、図１６に示すように、摺動部材１８のピン１８ｂがハートカム溝１９のロック部１９ｃに係止される。これによりスライド部材１６がロックされ、このスライド部材１６の排出方向への摺動が阻止される。また、このとき図示しない上述の第１弾性部材の突部が第１カード１の凹部１ｃに係合する。これにより、第１カード１は所定の第１カード装着位置に安定した状態で装着される。
【００９０】
このように、第１カード１が所定の第１カード装着位置に装着された状態では、第１カード１の裏面に形成された接触部材が第１接続端子１４に接触し、この第１カード１に対する信号の送受信が可能となる。
【００９１】
［第１カードの排出操作］
図１６に示すように、第１カード１が所定の第１カード装着位置に装着されている状態から、第１カード１を装置奥側に押してオーバーストロークさせると、スライド部材１６の移動に伴って摺動部材１８のピン１８ｂがハートカム溝１９のロック部１９ｃから離脱する。これにより、スライド部材１６のロックが解除され、図示しない付勢部材の付勢力によってスライド部材１６が排出方向に摺動する。この間、摺動部材１８のピン１８ｂがハートカム溝１９の復路１９ｂ上を相対的に摺動する。これにより、第１カード１が押し出され図１５に示す状態となる。
【００９２】
この状態から、第１カード１の手前側を把持し抜き取ると、図１４に示すように、コイルばね２１のばね力によって係合部材２０が、図１５，１６に示す所定の退避位置から同図１４に示す所定の突出位置まで時計方向に回動、すなわち変位する。これにより初期状態に復帰する。
【００９３】
［第２カードの挿入操作］
図１８は本発明の第２実施形態に図２に示す第２カードが挿入された初期状態を示す平面図、図１９は本発明の第２実施形態に挿入された第２カードが中途位置まで押し込まれた状態を示す平面図、図２０は本発明の第２実施形態の所定の第２カード装着位置に第２カードが装着された状態を示す平面図、図２１は本発明の第２実施形態に第２カードが挿入されたときの係合部材と、コイルばねの動作を示す要部拡大図である。
【００９４】
前述した図１１に示すカードが挿入されていない状態から、図１８に示すように、長さ寸法の短い第２カード２がハウジング１３の挿入口１３ｂから挿入されると、この第２カード２の前端部２ａが係合部材２０の第２接触部２０ｆに接触する。
【００９５】
この状態から第２カード２がさらに押し込まれると、第２カード２の前端部２ａによって係合部材２０の第２接触部２０ｆが押されることにより、係合部材２０の軸２０ａがスライド部材１６の長穴１６ｆ内を装置奥側に向って移動する。これにより係合部材２０が図２１の矢印３１で示すように装置奥側に向って摺動し、図１９に示すように、あるいは図２１の二点鎖線で示すように、係合部材２０の押圧部２０ｄが、スライド部材１６に形成した第２当接部１６ｄに当接する。この間、係合部材２０を付勢するコイルばね２１の他端２１ｃの曲線状端部が、図２１の矢印３２で示すように、スライド部材１６のばね受け１６ｅの傾斜壁面に沿って撓められながら摺動する。
【００９６】
図１９に示す状態から第２カード２がさらに押し込まれると、係合部材２０の押圧部２０ｄを介して、スライド部材１６が第２カード２と共に図示しない付勢部材の付勢力に抗して装置奥側に向かって摺動する。これに伴って、ハウジング１３に支持された摺動部材１８のピン１８ｂがハートカム溝１９の往路１９ａ上を相対的に摺動する。
【００９７】
第２カード２が所定の第２カード装着位置まで押し込まれると、図２０に示すように、摺動部材１８のピン１８ｂがハートカム溝１９のロック部１９ｃに係止される。これにより、スライド部材１６がロックされ、第２カード２は所定の第２カード装着位置に安定した状態で装着される。なお、図示しない第２弾性部材の突部が第２カード２の凹部２ｄに係合することによって第２カード２は安定して保持された状態となる。
【００９８】
このように、第２カード２が所定の第２カード装着位置に装着された状態では、第２カード２の裏面に形成された接触部材が第２接続端子１５に接触し、この第２カード２に対する信号の送受信が可能となる。
【００９９】
［第２カードの排出操作］
図２０に示すように、第２カード２が所定の第２カード装着位置に装着されている状態から、第２カード２を装置奥側に押してオーバーストロークさせると、スライド部材１６の移動に伴って摺動部材１８のピン１８ｂがハートカム溝１９のロック部１９ｃから離脱する。これにより、スライド部材１６のロックが解除され、図示しない付勢部材の付勢力によってスライド部材１６が第２カード２と共に排出方向に摺動する。この間、摺動部材１８のピン１８ｂがハートカム溝１９の復路１９ｂ上を相対的に摺動する。これにより、第２カード２が押し出され、図１９に示す状態となる。
【０１００】
例えばこの状態で第２カード２を抜き取ると、他端２１ｃの撓みによるコイルばね２１のばね力によって、係合部材２０の軸２０ａがスライド部材１６に形成した長穴１６ｆ内をカード排出方向に移動する。これによりスライド部材１６がカード排出方向にさらに移動し、図１８に示す初期状態に復帰する。
【０１０１】
［本発明の第２実施形態の効果］
以上のように構成した本発明の第２実施形態にあっても、例えば図１１に示す所定の突出位置と図１５，１６に示す所定の退避位置との間で変位する係合部材２０を備えたことにより、スライド部材１６、このスライド部材１６をカード排出方向に付勢する図示しない付勢部材、及び摺動部材１８とハートカム溝１９とから成るロック機構を、第１，第２カード１，２の排出に兼用できるので、上述した第１実施形態におけるのと同等の効果が得られる。
【０１０２】
また、第１カード１のハウジング１３への挿入時には、第１カード１の斜縁部１ｂが係合部材２０の第１接触部２０ｅ、第２接触部２０ｆに順次接触することによって、係合部材２０を逃げ部１６ｃによって形成される所定の退避位置まで変位させることができ、第１カード１を所定の第１カード装着位置まで円滑に移動させることができる。
【０１０３】
また、第２カード２のハウジング１３への挿入時には、係合部材２０の押圧部２０ｄを介して確実にスライド部材１６を装置奥側へ移動させることができ、第２カード２を所定の第２カード装着位置まで円滑に移動させることができる。
【０１０４】
また、第１カード１のハウジング１３への挿入に際し、係合部材２０を所定の退避位置に退避させたとき、係合部材２０の押圧部２０ｄがスライド部材１６の逃げ部１６ｃによって、このスライド部材１６の第２当接部１６ｄに干渉しないように保たれる。したがって、係合部材２０の変位がスライド部材１６の動作に悪影響を及ぼすことがなく、所定の第１カード装着位置までの第１カード１の円滑な移動を実現できる。
【図面の簡単な説明】
【０１０５】
【図１】本発明に係るカード用コネクタ装置の実施形態で使用される長さ寸法の長い第１カードを示す図で、（ａ）図は平面図、（ｂ）図は側面図である。
【図２】本発明の実施形態で使用される長さ寸法の短い第２カードを示す図で、（ａ）図は平面図、（ｂ）図は側面図である。
【図３】本発明の第１実施形態の外殻を形成するハウジングを示す図で、（ａ）図は平面図、（ｂ）図は側面図、（ｃ）図は正面図である。
【図４】図３に示すハウジングのカバーを除いた状態を示す平面図である。
【図５】本発明の第１実施形態の主要構成部材である係合部材を示す図で、（ａ）図は平面図、（ｂ）図は側面図である。
【図６】本発明の第１実施形態に図１に示す第１カードが挿入された初期状態を示す平面図である。
【図７】本発明の第１実施形態に挿入された第１カードが中途位置まで押し込まれた状態を示す平面図である。
【図８】本発明の第１実施形態の所定の第１カード装着位置に第１カードが装着された状態を示す平面図である。
【図９】本発明の第１実施形態に図２に示す第２カードが挿入された初期状態を示す平面図である。
【図１０】本発明の第１実施形態の所定の第２カード装着位置に第２カードが装着された状態を示す平面図である。
【図１１】本発明の第２実施形態を示す図で、ハウジングのカバーを除いた状態を示す平面図である。
【図１２】本発明の第２実施形態に備えられるスライド部材を示す図で、（ａ）図は平面図、（ｂ）図は側面図、（ｃ）図は裏面図である。
【図１３】本発明の第２実施形態の主要構成部材である係合部材と、この係合部材を付勢するコイルばねを示す図で、（ａ）図は平面図、（ｂ）図は側面図、（ｃ）図は裏面図である。
【図１４】本発明の第２実施形態に図１に示す第１カードが挿入された初期状態を示す平面図である。
【図１５】本発明の第２実施形態に挿入された第１カードが中途位置まで押し込まれた状態を示す平面図である。
【図１６】本発明の第２実施形態の所定の第１カード装着位置に第１カードが装着された状態を示す平面図である。
【図１７】本発明の第２実施形態に第１カードが挿入されたときの係合部材と、コイルばねの動作を示す要部拡大図である。
【図１８】本発明の第２実施形態に図２に示す第２カードが挿入された初期状態を示す平面図である。
【図１９】本発明の第２実施形態に挿入された第２カードが中途位置まで押し込まれた状態を示す平面図である。
【図２０】本発明の第２実施形態の所定の第２カード装着位置に第２カードが装着された状態を示す平面図である。
【図２１】本発明の第２実施形態に第２カードが挿入されたときの係合部材と、コイルばねの動作を示す要部拡大図である。
【符号の説明】
【０１０６】
１    第１カード
１ａ  前端部
１ｂ  斜縁部
１ｃ  凹部
２    第２カード
２ａ  前端部
２ｂ  切り欠き部
２ｃ  角部
２ｄ  凹部
３    ハウジング
３ａ  カバー
３ｂ  挿入口
３ｃ  ガイド壁
４    第１接続端子
５    第２接続端子
６    スライド部材
６ａ  当接部
６ｂ  逃げ部
７    付勢部材
８    摺動部材（ロック機構）
８ａ  一端部
８ｂ  ピン
９    ハートカム溝（ロック機構）
９ａ  往路
９ｂ  復路
９ｃ  ロック部
１０    係合部材
１０ａ  軸
１０ｂ  ばね受け
１０ｃ  第１突起
１０ｄ  第２突起
１１    第１弾性部材
１１ａ  突部
１２    第２弾性部材
１２ａ  突部
１３    ハウジング
１３ｂ  挿入口
１４    第１接続端子
１５    第２接続端子
１６    スライド部材
１６ａ  第１当接部
１６ｂ  空間部
１６ｃ  逃げ部
１６ｄ  第２当接部
１６ｅ  ばね受け
１６ｆ  長穴
１８    摺動部材（ロック機構）
１８ａ  一端部
１８ｂ  ピン
１９    ハートカム溝（ロック機構）
１９ａ  往路
１９ｂ  復路
１９ｃ  ロック部
２０    係合部材
２０ａ  軸
２０ｂ  凹部
２０ｃ  ばね受け
２０ｄ  押圧部
２０ｅ  第１接触部
２０ｆ  第２接触部
２１    コイルばね
２１ａ  巻回部
２１ｂ  一端
２１ｃ  他端
Ｌ１１  長さ寸法
Ｌ１２  幅寸法
Ｌ２１  長さ寸法
Ｌ２２  幅寸法
Ｌ２３  長さ
Ｌ３    長さ
【図１】
2005190984.tif 000003
【図２】
2005190984.tif 000004
【図３】
2005190984.tif 000005
【図４】
2005190984.tif 000006
【図５】
2005190984.tif 000007
【図６】
2005190984.tif 000008
【図７】
2005190984.tif 000009
【図８】
2005190984.tif 000010
【図９】
2005190984.tif 000011
【図１０】
2005190984.tif 000012
【図１１】
2005190984.tif 000013
【図１２】
2005190984.tif 000014
【図１３】
2005190984.tif 000015
【図１４】
2005190984.tif 000016
【図１５】
2005190984.tif 000017
【図１６】
2005190984.tif 000018
【図１７】
2005190984.tif 000019
【図１８】
2005190984.tif 000020
【図１９】
2005190984.tif 000021
【図２０】
2005190984.tif 000022
【図２１】
2005190984.tif 000023